(57)【要約】      （修正有）【課題】薬瓶内の薬品の総重量を監視して、ユーザーにより取られた薬の分量に異常が出た場合、注意情報を出力することができる注意機能を備える薬瓶を提供する。【解決手段】注意機能を備える薬瓶１００は、本体１０と、本体１０に設けられた注意モジュール３０と、本体１０の内部に設けられたプロセッサ及び量りモジュールと、を備え、量りモジュールは、本体１０内の錠剤の総重量を量ることに用いられ、ユーザーが本体１０の中から何錠かの錠剤を取り出すと、プロセッサは、量りモジュールを介して本体１０内の錠剤の総重量の減少量を確定し、且つ予め記憶されている単一の錠剤の重量に基づいて、ユーザーにより取られた錠剤の数量を確定し、さらに、ユーザーが取り出した錠剤の数量が予定の数量に一致しない場合、プロセッサは、注意モジュール３０を制御して注意情報を出力させて、ユーザーに注意する。【選択図】図１
2013226416.tif 000002
【特許請求の範囲】
【請求項１】
本体と、前記本体に設けられた注意モジュールと、を備える注意機能を備える薬瓶であって、
前記本体の内部に設けられたプロセッサ及び量りモジュールをさらに備え、前記量りモジュールは、前記本体内の錠剤の総重量を量ることに用いられ、ユーザーが前記本体の中から何錠か錠剤を取り出すと、前記プロセッサは、前記量りモジュールを介して前記本体内の錠剤の総重量の減少量を確定し、且つ予め記憶されている単体の錠剤の重量に基づいてユーザーにより取られた錠剤の数量を確定し、
さらに、ユーザーが取り出した錠剤の数量が、予定の数量に一致しない場合、前記プロセッサは、前記注意モジュールを制御して注意情報を出力させて、ユーザーに注意することを特徴とする注意機能を備える薬瓶。
【請求項２】
無線通信モジュール及びメモリーをさらに備え、前記無線通信モジュールは、無線ネットワークを介して外部サーバーと通信し、前記注意モジュールは、タッチ式の表示パネル或いはスピーカーであり、ユーザーが前記タッチパネルに薬品の名称及び薬品メーカーの名称を入力した後、前記プロセッサは、前記無線通信モジュールを介して前記外部サーバーに査問命令を送信し、前記外部サーバーは、この査問命令に応答して入力された薬品に関する情報を検索し、且つ検索して得た情報を前記プロセッサにフィードバックし、前記情報は、単体の錠剤の重量を含み、前記プロセッサは、前記情報を前記メモリーの中に格納することを特徴とする請求項１に記載の注意機能を備える薬瓶。
【請求項３】
前記本体に回転可能な状態で連結される瓶蓋と、前記瓶蓋と前記本体との間に設けられたトリガースイッチと、をさらに備え、
前記瓶蓋が前記本体に対して閉められた後、前記トリガースイッチは前記プロセッサに低レベル信号を出力し、前記瓶蓋が前記本体に対して開けられた後、前記トリガースイッチは前記プロセッサに高レベル信号を出力し、これにより、前記プロセッサは、前記トリガースイッチが出力した信号に基づいて、前記瓶蓋の開閉状態を判断することを特徴とする請求項１又は請求項２に記載の注意機能を備える薬瓶。
【請求項４】
前記瓶蓋が開けられる際、前記プロセッサは現在の日付及び時間を記録し、前記プロセッサは、前記量りモジュールを介して前記本体内の錠剤の総重量が減少したことを確定すると、日誌を生成し、この日誌の中には、現在の日付及び時間と、錠剤の総重量の減少量と、の情報が記録されていることを特徴とする請求項３に記載の注意機能を備える薬瓶。
【請求項５】
前記メモリーの中には、薬品の名称、薬品メーカーの名称及び薬品単体の重量との情報が予め格納され、また、前記メモリーの中には、プログラムモジュールが設けられ、前記プロセッサは、前記プログラムモジュールを実行することにより、ユーザーにインタラクティブインターフェースを提供し、ユーザーは、前記注意ユニットを介して前記インタラクティブインターフェースに対して操作して、特定の薬品の情報を検索し、前記メモリーの中に記憶された日誌を調べ、既に記憶されている薬品の情報を設定し、薬の飲み日付及び飲み時間を設定することを実現することを特徴とする請求項１から４の何れか一項に記載の注意機能を備える薬瓶。
【請求項６】
警告ランプをさらに備え、予定の時間になった時に、前記本体内の錠剤の総重量が変化しておらず及びユーザーが取り出した錠剤の数量が予定の数量に一致しない場合、前記プロセッサは、前記警告ランプを制御して、前記警告ランプを点滅させて、ユーザーに注意することを特徴とする請求項１から５の何れか一項に記載の注意機能を備える薬瓶。
【発明の詳細な説明】
【技術分野】
【０００１】
本発明は、薬瓶に係り、特に注意機能を備える薬瓶に関するものである。
【背景技術】
【０００２】
病気を治療する過程において、時間通りに薬を飲むことは患者にとって非常に重要である。特に、ある一部の薬は、飲む時間及び飲む分量が厳しく規定されている。しかし、薬を飲み忘れてしまう場合があり、予定の時間に指定された分量の薬を飲むことを注意する必要がある。
【発明の概要】
【発明が解決しようとする課題】
【０００３】
そこで、本発明は以上の問題点に鑑みてなされたものであり、薬瓶内の薬品の総重量を監視して、ユーザーにより取られた薬の分量に異常が出ると、注意情報を出力することができる注意機能を備える薬瓶を提供することを目的とする。
【課題を解決するための手段】
【０００４】
上記の課題を解決するために、本発明に係る注意機能を備える薬瓶は、本体と、前記本体に設けられた提示モジュールと、前記本体の内部に設けられたプロセッサ及び量りモジュールと、備え、前記量りモジュールは、前記本体内の錠剤の総重量を量ることに用いられ、ユーザーが前記本体の中から何錠かの錠剤を取り出すと、前記プロセッサは、前記量りモジュールを介して前記本体内の錠剤の総重量の減少量を確定し、且つ予め記憶されている単体の錠剤の重量に基づいて、ユーザーにより取られた錠剤の数量を確定し、さらに、ユーザーが取り出した錠剤の数量が予定の数量に一致していない場合、前記プロセッサは、前記提示モジュールを制御して提示情報を出力させて、ユーザーに注意する。
【発明の効果】
【０００５】
従来の技術とは異なり、本発明が提供する注意機能を備える薬瓶は、薬瓶内の薬品の総重量を監視して、ユーザーにより取られた薬の分量に異常が出た場合、提示情報を出力することができる。従って、本発明に係る注意機能を備える薬瓶は、記憶力が悪く且つ多種の薬を同時に飲む人々に対して便利である。
【図面の簡単な説明】
【０００６】
【図１】本発明の実施形態に係る注意機能を備える薬瓶を示す平面図である。
【図２】本発明の実施形態に係る注意機能を備える薬瓶の機能モジュールを示す図である。
【発明を実施するための形態】
【０００７】
図１及び図２に示すように、本発明の実施形態に係る注意機能を備える薬瓶１００は、本体１０及び本体１０に対して開閉可能な瓶蓋２０を備える。本体１０の外面には注意モジュール３０が設けられ、本体１０の内部にはプロセッサ４０及び量りモジュール５０が設置されている。量りモジュール５０は、本体１０内の錠剤の総重量Ｔを量るために用いられる。プロセッサ４０は、量りモジュール５０に電気的に接続され、且つ量りモジュール５０を介して、本体１０内の錠剤の総重量Ｔをリアルタイムに監視測定する。ユーザーは、本体１０の中から何錠かの錠剤を取り出すと、本体１０内の錠剤の総重量Ｔは減るので、プロセッサ４０は、量りモジュール５０を介して本体１０内の錠剤の総重量の減少量Ｄを確定することができる。
【０００８】
また、プロセッサ４０は、予め記憶した単一の錠剤の重量Ｓに基づいて、ユーザーにより取られた錠剤の数量を確定し、ユーザーが取り出した錠剤の数量が予定の数量に一致しない場合、プロセッサ４０は注意モジュール３０に注意情報を出力させて、ユーザーに注意する。具体的には、注意モジュール３０は、タッチ式の表示パネルであり、可視化情報を表示することにより、ユーザーが取り出した錠剤の数量が予定の数量に一致しないことを注意する。なお、必要があれば、注意モジュール３０は、音声情報を出力することができるスピーカーであることもできる。
【０００９】
瓶蓋２０は、連接部材等を介して、薬瓶１００の本体１０に回転可能な状態で連結される。例えば、瓶蓋２０と本体１０とは、フレキシブルなプラスチックバーを介して一体に連結される。瓶蓋２０と本体１０との間には、トリガースイッチ２１が設けられている。瓶蓋２０が開けられる際に、トリガースイッチ２１は、プロセッサ４０に通知するための信号を送信する。具体的には、トリガースイッチ２１は、接点２１１及び接点２１２を備える。接点２１１及び接点２１２は、瓶蓋２０の内面及び本体１０の瓶口にそれぞれ設けられている。瓶蓋２０が本体１０に対して閉められた後、接点２１１及び接点２１２は互いに接触し、トリガースイッチ２１はプロセッサ４０に低レベル信号を出力する。また、瓶蓋２０が本体１０に対して開けられると、接点２１１及び接点２１２は互いに分離し、トリガースイッチ２１はプロセッサ４０に高レベル信号を出力する。これにより、プロセッサ４０は、トリガースイッチ２１が出力した信号に基づいて、瓶蓋２０の開閉状態を判断することができる。
【００１０】
瓶蓋２０が開けられる際、プロセッサ４０は現在の日付及び時間を記録し、瓶蓋２０が開けられた後に、再度閉められる時間内に、本体１０内の錠剤の総重量Ｔが減少すれば、プロセッサ４０は日誌を生成する。前記日誌には、現在の日付及び時間と、本体１０内の錠剤の総重量の減少量と、前記減少量に基づいて確定した錠剤の数量と、の情報が記録されている。また、前記日誌は、メモリー６０の中に格納される。これにより、ユーザーは、必要な場合は、前記日誌を調べることにより、その日の薬の飲み時間及び飲み分量を確定することができる。
【００１１】
本実施形態において、薬瓶１００は、無線ネットワークを介してある外部サーバーと通信する無線通信モジュール７０をさらに備える。注意モジュール３０は、タッチパネルであり、ユーザーが前記タッチパネルに薬品の名称及び薬品メーカーの名称を入力すると、プロセッサ４０は、無線通信モジュール７０を介して、外部サーバーに査問命令を送信する。前記外部サーバーは、この査問命令に応答して入力された薬品に関する情報（単体の錠剤の重量を含む）を検索し、且つ検索して得た情報をプロセッサ４０にフィードバックする。プロセッサ４０は、前記情報をメモリー６０の中に格納する。また、他の実施形態において、メモリー６０の中に、薬品の名称、薬品メーカーの名称及び薬品単体の重量等の情報を予め格納しても良い。これにより、外部サーバーから薬品の情報を獲得する必要はない。
【００１２】
また、本実施形態において、メモリー６０の中にプログラムモジュールを設けられており、プロセッサ４０が前記プログラムモジュールを実行することにより、ユーザーにインタラクティブインターフェースを提供する。ユーザーは、注意モジュール３０をタッチすることで、前記インタラクティブインターフェースに対して操作することができる。例えば、ユーザーは、前記インタラクティブインターフェースを介して、特定の薬品の情報を検索し、メモリー６０の中に記憶されている日誌を調べて、既に記憶されている薬品の情報を設定し、薬の飲み日付及び飲み時間等を設定することができる。
【００１３】
また、本実施形態において、薬瓶１００は、警告ランプ８０をさらに備える。プロセッサ４０は、予定の飲み時間になっても本体１０内の錠剤の総重量が変化しない（つまり、ユーザーが予定の時間に薬を飲んでいない）場合、警告ランプ８０を制御して、警告ランプ８０を点滅させて、薬を飲まなければならないことをユーザーに注意する。勿論、警告ランプ８０は、他に異常が発生した時も点滅する。例えば、ユーザーが取り出した錠剤の数量が予定値を超えた場合、プロセッサ４０は、警告ランプ８０を制御して点滅させる。
【００１４】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１５】
１０      本体
２０      瓶蓋
２１      トリガースイッチ
３０      注意モジュール
４０      プロセッサ
５０      量りモジュール
６０      メモリー
７０      無線通信モジュール
８０      警告ランプ
１００    薬瓶
２１１、２１２    接点
【図１】
2013226416.tif 000003
【図２】
2013226416.tif 000004